(57)【要約】【課題】撮影に必要な充電電圧を的確に報知することができる照明装置を提供する。【解決手段】被写体を照明するための照明光を発光する発光部１８と、前記発光部を発光させるための電気エネルギを蓄積するコンデンサ１６と、前記コンデンサへの充電を行うために電源電圧の昇圧を行う昇圧部２０と、前記コンデンサへの充電状態を表示する表示部２６と、前記表示部に前記コンデンサへの充電状態を段階的に表示させる表示制御部１４とを備える。【選択図】図３
2013125117.tif 000002
【特許請求の範囲】
【請求項１】
被写体を照明するための照明光を発光する発光部と、
前記発光部を発光させるための電気エネルギを蓄積するコンデンサと、
前記コンデンサへの充電を行うために電源電圧の昇圧を行う昇圧部と、
前記コンデンサへの充電状態を表示する表示部と、
前記表示部に前記コンデンサへの充電状態を段階的に表示させる表示制御部と
を備えることを特徴とする照明装置。
【請求項２】
前記発光部は、発光素子としてキセノン管を備えることを特徴とする請求項１記載の照明装置。
【請求項３】
前記表示制御部は、前記コンデンサへの充電が行われている期間においてのみ前記充電状態の段階的な表示を行うことを特徴とする請求項１または２記載の照明装置。
【請求項４】
前記表示制御部は、前記コンデンサへの充電状態を充電電圧に比例するグラフで表示し、かつ、前記グラフの更新をリアルタイムで実行すること特徴とする請求項１〜３の何れか一項に記載の照明装置。
【請求項５】
前記コンデンサの充電状態を表示するレディライトと、
前記レディライトの点灯電圧を指定する指定部と
を備えることを特徴とする請求項１〜４の何れか一項に記載の照明装置。
【請求項６】
照明モードに関する情報を取得する取得部を備え、
前記指定部は、前記取得部により取得された前記モードに関する情報に基づいて前記レディライトの点灯電圧を指定することを特徴とする請求項５記載の照明装置。
【請求項７】
前記コンデンサの充電状態が前記指定部により指定された前記点灯電圧を超えた時に前記レディライトを点灯させる点灯制御部を備えることを特徴とする請求項５または６記載の照明装置。
【請求項８】
前記表示制御部は、前記コンデンサへの充電が完了するまでの時間、または前記レディライトが点灯するまでの時間を前記表示部に表示させることを特徴とする請求項１〜７の何れか一項に記載の照明装置。
【発明の詳細な説明】
【技術分野】
【０００１】
本発明は、照明装置に関するものである。
【背景技術】
【０００２】
従来、レディライトを点灯することによりフラッシュの充電状態を報知する電子閃光装置が知られている（例えば、特許文献１参照）。
【先行技術文献】
【特許文献】
【０００３】
【特許文献１】実開平６−８９４４号公報
【発明の概要】
【発明が解決しようとする課題】
【０００４】
しかしながら、この電子閃光装置においては、フラッシュの充電電圧が所定の閾値を超えたか否かを報知するが、所定の閾値以下の充電電圧でも必要な光量が得られる小光量での撮影や、所定の閾値を超える充電電圧でないと必要な光量が得られない大光量での撮影において、撮影に必要な充電電圧を的確に報知することが困難であった。
【０００５】
本発明の目的は、撮影に必要な充電電圧を的確に報知することができる照明装置を提供することである。
【課題を解決するための手段】
【０００６】
本発明の照明装置は、被写体を照明するための照明光を発光する発光部と、前記発光部を発光させるための電気エネルギを蓄積するコンデンサと、前記コンデンサへの充電を行うために電源電圧の昇圧を行う昇圧部と、前記コンデンサへの充電状態を表示する表示部と、前記表示部に前記コンデンサへの充電状態を段階的に表示させる表示制御部とを備えることを特徴とする。
【発明の効果】
【０００７】
本発明の照明装置によれば、撮影に必要な充電電圧を的確に報知することができる。
【図面の簡単な説明】
【０００８】
【図１】第１の実施の形態に係る照明装置の内部構成を側面から見た図である。
【図２】第１の実施の形態に係る照明装置の背面を示す図である。
【図３】第１の実施の形態に係る照明装置のシステム構成を示すブロック図である。
【図４】第１の実施の形態に係る照明装置におけるＬＣＤ表示部の表示例を示す図である。
【図５】第１の実施の形態に係る照明装置のＬＣＤ表示部に表示された電圧モニタの変化の状態及びレディライトの状態を示す図である。
【図６】第１の実施の形態に係る照明装置におけるＬＣＤ表示部の表示例を示す図である。
【図７】第２の実施の形態に係る照明装置のＬＣＤ表示部に表示された電圧モニタの変化の状態及びレディライトの状態を示す図である。
【発明を実施するための形態】
【０００９】
以下、図面を参照して第１の実施の形態に係る照明装置について説明する。図１は、第１の実施の形態に係る照明装置２の内部構成を示す側面図である。照明装置２は、発光部４と本体部６とを備えており、発光部４は水平位置から最大９０°バウンスできるように本体部６に回動可能に取付けられている。
【００１０】
発光部４の内部には、被写体を照射する照明光を発光するキセノン管８、及びキセノン管８をフレネルパネル１０から遠ざけ、またはフレネルパネル１０に近づけることによりフレネルパネル１０を介して射出される照明光の照射角を調整する駆動モータ１２が設けられている。
【００１１】
また、本体部６の内部には、照明装置２の各部を統括的に制御する制御回路１４、キセノン管８を発光させるための電気エネルギを蓄積するメインコンデンサ１６、キセノン管８の発光量を調整する発光回路１８、電源の電圧を昇圧する昇圧回路２０、発光部４がバウンスした角度を検知するバウンス検出スイッチ２２が備えられている。また、本体部６の下面には、照明装置２をカメラに取付ける取付部２４が備えられており、取付部２４には、照明装置２をカメラに取付けた状態でカメラとの間の通信を行う通信端子２５が設けられている。
【００１２】
図２は、第１の実施の形態に係る照明装置２の背面を示す図である。照明装置２の本体部６の背面には、カメラ及び照明装置２の設定に関する状態等を表示するＬＣＤ表示部２６、及びメインコンデンサ１６の充電電圧が所定の電圧を超えた時点で点灯するレディライト２８が設けられている。
【００１３】
図３は、第１の実施の形態に係る照明装置２のシステム構成を示すブロック図である。照明装置２には、制御回路１４が備えられ、制御回路１４には、昇圧回路２０、発光回路１８、ＬＣＤ表示部２６、レディライト２８、及び通信端子２５が接続されている。
【００１４】
制御回路１４は、昇圧回路２０の動作を制御するための昇圧信号を出力する。昇圧回路２０は、昇圧信号が入力されると電源３０の電圧を昇圧させ、メインコンデンサ１６への充電を行う。なお、昇圧回路２０により昇圧された電圧の一部は分圧抵抗３２において分圧され、制御回路１４に入力される。制御回路１４は、入力された電圧に基づいてメインコンデンサ１６の充電電圧を検知する。
【００１５】
また、制御回路１４は、キセノン管８を発光させる発光信号を発光回路１８に対して出力し、発光回路１８は、入力された発光信号に基づいてキセノン管８の発光量を調整する。
【００１６】
また、制御回路１４は、ＬＣＤ表示部２６の表示状態を制御し、レディライト２８の点灯及び消灯を制御する。また、通信端子２５を介してカメラとの通信を行う。
【００１７】
また、制御回路１４には、発光部４に備えられている駆動モータ１２、及びバウンス検出スイッチ２２が接続されている。制御回路１４は、バウンス検出スイッチ２２を介して発光部４のバウンス角度を検知する。また、制御回路１４は、駆動モータ１２を駆動させてキセノン管８をフレネルパネル１０から遠ざけ、またはフレネルパネル１０に近づけることにより照明光の照射角を調整する。
【００１８】
次に、第１の実施の形態に係る照明装置２の処理について説明する。まず、照明装置が取付部２４を介してカメラに装着され、照明装置２の電源がオンにされると、制御回路１４は、通信端子２５を介してカメラとの通信を行い、カメラの設定に関する情報を取得する。例えば、発光モードに関する情報、調光モードに関する情報、ＩＳＯ感度に関する情報、焦点距離に関する情報、絞り値に関する情報、カメラの撮像範囲に関する情報等を取得する。次に、制御回路１４は、ＬＣＤ表示部２６の左側の領域において取得した情報を表示する。
【００１９】
例えば、図４に示すように、発光モードに関する情報に基づいて、ＬＣＤ表示部２６の左上の位置に照明装置２による本発光を行う前に照明装置２によりプリ発光を行うことを示す稲妻のマークを表示する。また、調光モードに関する情報に基づいて稲妻のマークの右隣の位置に「ＴＴＬ」、「ＢＬ」、「ＦＰ」のようなマークを表示する。また、その下の位置に、ＩＳＯ感度に関する情報に基づいて、ＩＳＯ感度を「ＩＳＯ  ２００」のように表示する。また、制御回路１４は、カメラから取得した情報に基づいて調光可能な距離を「０．６ｍ〜４．７ｍ」のようにＬＣＤ表示部２６の中央に表示し、その下に調光可能な距離の範囲を示す横棒のグラフを表示する。また、焦点距離に関する情報、及び絞り値に関する情報に基づいて、ＬＣＤ表示部２６の下側に焦点距離を「２４ｍｍ」、絞り値を「Ｆ５．６」のように表示する。また、ＬＣＤ表示部２６の左下の位置に、カメラの撮像範囲に関する情報を「ＦＸ  ＺＯＯＭ」のように表示する。
【００２０】
また、制御回路１４は、ＬＣＤ表示部２６の右側の領域において、メインコンデンサ１６の充電状態を表示するための電圧モニタ３４を表示する。なお、電圧モニタ３４の左側には、充電電圧に対応する発光部４の光量が表示される。ここで、メインコンデンサ１６の充電電圧が「Ｍ１／２」の位置に表示された状態でレリーズ操作が行われた場合、照明装置２は、例えば、マニュアル発光モードでないＴＴＬ調光モードやＢＬ調光モードにおいて、被写体の状況に応じて最大光量の半分の光量を限度とする照明光を発光することができる。また、メインコンデンサ１６の充電電圧が「Ｍ１／１」の位置に表示されたフル充電の状態でレリーズ操作が行われた場合、照明装置２は、例えば、マニュアル発光モードでないＴＴＬ調光モードやＢＬ調光モードにおいて、被写体の状況に応じて最大光量を限度とする照明光を発光することができる。
【００２１】
また、制御回路１４は、電圧モニタ３４の右側にレディライト２８の点灯電圧に対応する充電電圧の位置にインジケータ３８を表示する。ここで、レディライト２８の点灯電圧は、操作者が任意に設定することができる。
【００２２】
次に、電源３０（図３参照）の電圧が昇圧回路２０により昇圧され、メインコンデンサ１６への充電が開始されると、制御回路１４は、メインコンデンサ１６の充電電圧を検知する。そして、図５（ａ）に示すように、メインコンデンサ１６の充電電圧を示すバーグラフ３６を電圧モニタ３４に表示する。
【００２３】
次に、制御回路１４は、メインコンデンサ１６の充電電圧が上昇すると、図５（ｂ）に示すように、メインコンデンサ１６の充電電圧に比例させてバーグラフ３６の高さを上昇させる。ここで、制御回路１４は、リアルタイムでメインコンデンサ１６の充電電圧を検知し、バーグラフ３６の高さを変化させる。
【００２４】
そして、図５（ｃ）に示すように、バーグラフ３６の高さがインジケータ３８の位置まで上昇した時点で、制御回路１４は、レディライト２８を点灯させる。
【００２５】
また、更にバーグラフ３６の高さが上昇し、図５（ｄ）に示すように、メインコンデンサ１６がフル充電されると、制御回路１４は、昇圧回路２０による昇圧動作を停止させてメインコンデンサ１６への充電を完了する。
【００２６】
メインコンデンサ１６への充電を完了すると、制御回路１４は、ＬＣＤ表示部２６から電圧モニタ３４及びインジケータ３８の表示を消去し、図６に示すように、ＬＣＤ表示部２６の右側の領域の表示を照明装置２の状態を示す表示に切替える。なお、図６の右側の領域の表示において、照明装置を装着したカメラのマーク４０は、本体部６に対する発光部４の向きを示すものであり、「ＡＦ」の表示は、オートフォーカスモードが設定されている旨を示す。また、正面を向いたカメラのマーク４２は、カメラと照明装置２が通信状態にあることを示すものであり、温度計４４には、カメラ内部の最高温度が表示される。
【００２７】
次に、照明装置２のメインコンデンサ１６がフル充電された状態（図６参照）でレリーズ操作が行われると、メインコンデンサ１６に充電された電気エネルギに基づいてキセノン管８が発光し、被写体が照射される。そして、制御回路１４は、ＬＣＤ表示部２６の右側の領域の表示を電圧モニタ３４の表示に戻し（図４参照）、再びメインコンデンサ１６への充電を開始する。
【００２８】
メインコンデンサ１６への充電が開始されると、制御回路１４は、メインコンデンサ１６の充電電圧を検知し、メインコンデンサ１６の充電電圧に比例させてバーグラフ３６の高さを上昇させる（図５（ａ）、（ｂ）参照）。そして、制御回路１４は、バーグラフ３６の高さがインジケータ３８の位置まで上昇するとレディライト２８を点灯させ（図５（ｃ）参照）、さらにメインコンデンサ１６がフル充電されると（図５（ｄ）参照）ＬＣＤ表示部２６の右側の領域の表示を照明装置２の状態を示す表示に切替える（図６参照）。ここでレリーズ操作が行われてキセノン管８が発光し、被写体が照射されると、制御回路１４は、ＬＣＤ表示部２６の右側の領域の表示を電圧モニタ３４の表示に戻し（図４参照）、再びメインコンデンサ１６への充電を開始する。以下、照明装置２の処理を終了する操作が行われるまで同様の処理が繰り返される。
【００２９】
この第１の実施の形態に係る照明装置２によれば、電圧モニタ３４にメインコンデンサ１６の充電状態を段階的に表示することにより、撮影に必要な充電電圧を的確に報知することができる。また、リアルタイムでメインコンデンサ１６の充電電圧を検知し、バーグラフ３６の高さを変化させるため、操作者に充電の速度を認識させることができる。
【００３０】
次に、第２の実施の形態に係る照明装置の処理について説明する。この第２の実施の形態に係る照明装置は、第１の実施の形態の照明装置２において、カメラの撮影シーンに連動してレディライト２８の点灯電圧を変動させるようにしたものである。従って、第２の実施の形態では、第１の実施の形態と異なる部分について詳細に説明し、その他の重複する部分については適宜説明を省略する。
【００３１】
以下、大光量で撮影するために大きな充電電圧を必要とするバウンス撮影モードが撮影シーンとして設定された場合を例として説明する。まず、照明装置２の電源がオンにされ、ＬＣＤ表示部２６に電圧モニタ３４が表示されると、制御回路１４は、標準位置として「Ｍ１／２」の位置にインジケータ３８を表示する。
【００３２】
ここで、発光部４が傾けられ、バウンス検出スイッチ２２により発光部４がバウンスした角度が検出されると、制御回路１４は、図７（ａ）に示すように、ＬＣＤ表示部２６において表示されているインジケータ３８の位置を「Ｍ１／１」の位置に移動させる。次に、メインコンデンサ１６への充電が開始されると、制御回路１４は、メインコンデンサ１６の充電電圧を検知し、バーグラフ３６を電圧モニタ３４に表示する（図７（ａ）参照）。
【００３３】
次に、メインコンデンサ１６の充電電圧が上昇すると、制御回路１４は、図７（ｂ）に示すように、メインコンデンサ１６の充電電圧に比例させてバーグラフ３６の高さを上昇させ、図７（ｃ）に示すように、バーグラフ３６の高さがインジケータ３８の位置まで上昇した時点でレディライト２８を点灯する。
【００３４】
次に、レディライト２８が点灯した状態でレリーズ操作が行われると、メインコンデンサ１６に充電された電気エネルギに基づいてキセノン管８が発光し、被写体が照射される。
【００３５】
ここで、レリーズ操作後、再びメインコンデンサ１６への充電が開始されると、制御回路１４は、メインコンデンサ１６の充電電圧を検知し、メインコンデンサ１６の充電電圧に比例させてバーグラフ３６の高さを上昇させる（図７（ａ）、（ｂ）参照）。そして、制御回路１４は、バーグラフ３６の高さがインジケータ３８の位置まで上昇するとレディライト２８を点灯させる（図７（ｃ）参照）。さらにレリーズ操作が行われてキセノン管８が発光し、被写体が照射されると、制御回路１４は、再びメインコンデンサ１６への充電を開始し、以下、同様の処理を繰り返す。
【００３６】
なお、上述した処理の途中で発光部４の傾きが元に戻されてバウンスが解除されると、制御回路１４は、「Ｍ１／１」の位置に表示されているインジケータ３８の位置を標準位置である「Ｍ１／２」の位置に戻す。
【００３７】
この第２の実施の形態に係る照明装置によれば、撮影シーンに連動させてインジケータ３８の位置及びレディライト２８の点灯電圧を変更するため、撮影に必要な光量が得られるレリーズタイミングを操作者に的確に報知することができる。また、バウンス撮影モードにおいては、バーグラフ３６の高さが「Ｍ１／１」の位置になるまで充電電圧が上昇しないとレディライト２８が点灯しないため、光量が不足した状態でレリーズ操作が行われることを防止することができる。
【００３８】
なお、第２の実施の形態において、制御回路１４が通信端子２５を介してカメラとの通信を行い、カメラにおいて設定された撮影シーンに関する情報を取得するようにしてもよい。そして、取得した撮影シーンに関する情報に連動させてＬＣＤ表示部２６に表示されているインジケータ３８の位置を移動させるようにしてもよい。
【００３９】
例えば、カメラにおいて、少ない充電電圧でも必要な光量が得られる日中シンクロ撮影モードが撮影シーンとして設定され、制御回路１４がその旨の情報を通信端子２５を介して取得したとする。この場合、制御回路１４は、インジケータ３８の位置を標準位置である「Ｍ１／２」の位置から電圧モニタ３４の下方の位置に移動させる。これにより、メインコンデンサ１６への充電が開始されるとすぐにレディライト２８が点灯するため、撮影者はメインコンデンサ１６がフル充電されるまで待たずにレリーズ操作を行うことができ、次の撮影までのレリーズ間隔を短くすることができる。
【００４０】
また、カメラにおいて、大光量で撮影するために大きな充電電圧を必要とする高速連写モードが撮影シーンとして設定された場合、制御回路１４は、その旨の情報を通信端子２５を介して取得し、インジケータ３８の位置を標準位置である「Ｍ１／２」の位置から「Ｍ１／１」の位置に移動させる。この場合、メインコンデンサ１６がフル充電されないとレディライト２８が点灯しないため、光量が不足した状態でレリーズ操作が行われることを防止することができる。
【００４１】
また、上述の実施の形態において、ＬＣＤ表示部２６においてメインコンデンサ１６がフル充電されるまでの時間やレディライト２８が点灯するまでの時間を、例えば、「２秒」、「１秒」等のようにリアルタイムで表示させるようにしてもよい。これにより、操作者は、メインコンデンサ１６がフル充電されるまでの時間やレディライト２８が点灯するまでの時間をカウントダウンすることができ、レリーズタイミングを的確に把握することができる。
【００４２】
また、上述の実施の形態において、メインコンデンサ１６の充電電圧に対応させてレディライト２８の色を順次変化させるようにしてもよい。例えば、メインコンデンサ１６の充電電圧が低いときにはレディライト２８の色を白色で点灯させ、メインコンデンサ１６の充電電圧が上昇するに従ってレディライト２８の色が赤味を帯び、フル充電に近づくと濃い赤色に変色させるようにしてもよい。これにより、操作者は良好に充電状態の変化を把握することができる。
【００４３】
また、上述の実施の形態において、メインコンデンサ１６の充電電圧に対応させてバーグラフ３６の色を順次変化させるようにしてもよい。これにより、操作者は充電状態の変化を視覚により容易に把握することができる。
【００４４】
また、第２の実施の形態において、メインコンデンサ１６への充電が完了した場合、第１の実施の形態と同様に、ＬＣＤ表示部２６の右側の領域の表示を照明装置２の状態を示す表示に切替えるようにしてもよい（図６参照）。
【００４５】
また、上述の実施の形態において、電圧モニタ３４の左側に表示する光量の値は、充電電圧に対応する発光部４の光量を表示するものであれば、「Ｍ１／２」及び「Ｍ１／１」の表示に限定されない。また、第２の実施の形態において、インジケータ３８を表示する標準位置は「Ｍ１／２」の位置に限定されない。
【００４６】
また、上述の実施の形態において、照明装置２に備えられる発光素子はキセノン管に限定されない。
【符号の説明】
【００４７】
２…照明装置、４…発光部、６…本体部、８…キセノン管、１０…フレネルパネル、１２…駆動モータ、１４…制御回路、１６…メインコンデンサ、１８…発光回路、２０…昇圧回路、２２…バウンス検出スイッチ、２６…ＬＣＤ表示部、２８…レディライト
【図１】
2013125117.tif 000003
【図２】
2013125117.tif 000004
【図３】
2013125117.tif 000005
【図４】
2013125117.tif 000006
【図５】
2013125117.tif 000007
【図６】
2013125117.tif 000008
【図７】
2013125117.tif 000009